(57)【要約】【課題】  刺繍模様を施した布を肌に直接触れるような衣類に用いる場合でも、刺繍領域の裏面における布の肌触りを阻害することなく、布の表面に対して立体的で美しい刺繍模様を刺繍することができる刺繍模様の形成方法及び刺繍模様を提供する。【解決手段】  布における刺繍領域の上面に、縫糸を止着する為の縫糸止着材を刺繍領域を覆う広さに渡って配設し、さらに、上記刺繍領域より大きい広さを持つ嵩張材を上記縫糸止着材の上面に重ね、上記布と上記嵩張材とを重ねた状態で上記刺繍領域に刺繍模様を施し、上記刺繍模様における上糸の上部を切除し、上記嵩張材を除去するようにした。【選択図】    図１
2006077370.tif 000002
【特許請求の範囲】
【請求項１】
布における刺繍領域の上面に、縫糸を止着する為の縫糸止着材を刺繍領域を覆う広さに渡って配設し、さらに、上記刺繍領域より大きい広さを持つ嵩張材を上記縫糸止着材の上面に重ね、上記布と上記嵩張材とを重ねた状態で上記刺繍領域に刺繍模様を施し、上記刺繍模様における上糸の上部を切除し、上記嵩張材を除去することを特徴とする刺繍模様の縫製方法。
【請求項２】
布における刺繍領域の上面に、縫糸を止着する為の縫糸止着材を刺繍領域を覆う広さに渡って配設し、さらに、上記刺繍領域より大きい広さを持つ嵩張材を上記縫糸止着材の上面に重ね、上記布と上記嵩張材とを重ねた状態で上記刺繍領域に刺繍模様を施し、上記刺繍模様における上糸の上部を切除する工程と、上記縫糸止着材により上記布の上面と縫糸とを接着する工程とを施し、さらに、上記嵩張材を除去することを特徴とする刺繍模様の縫製方法。
【請求項３】
布における刺繍領域の上面に、縫糸を止着する為の縫糸止着材を網目状に刺繍領域を覆う広さにわたって、配設し、
さらに、上記刺繍領域より大きい広さを持つ嵩張材を上記縫糸止着材の上面に重ね、上記布と上記嵩張材とを重ねた状態で上記刺繍領域に刺繍模様を施し、上記刺繍模様における上糸の上部を切除する工程と、上記縫糸止着材により上記布の上面と縫糸とを接着する工程とを施し、さらに、上記嵩張材を除去することを特徴とする刺繍模様の縫製方法。
【請求項４】
布の上面には、縫糸を止着した状態の縫糸止着材が存在しており、さらに、布の上面には嵩張材が重ねられた状態で施された刺繍模様であって、かつ、上記刺繍模様における上糸の上部は切除され、上記嵩張材は除去され、起毛した状態の上糸群で構成された刺繍模様が存在していることを特徴とする刺繍模様。
【発明の詳細な説明】
【技術分野】
【０００１】
本発明は、刺繍模様の形成方法及び刺繍模様に関し、詳しくは、布の表面に対して刺繍模様における上糸が起毛した立体的な刺繍模様の形成方法及び刺繍模様に関する。
【背景技術】
【０００２】
従来の刺繍模様の形成方法及び刺繍模様は、布における刺繍領域に刺繍模様を刺繍する際、下糸にナイロン等の熱接着性糸を使用したり、また、下糸に普通の綿等の下糸を使用した場合には、布と下糸との間に、ナイロンまたはポリウレタン系のホットメルトフィルム等のシートを挟んで同時に刺繍し、
その後、裏面を約１５０度位に加熱しながらプレス加工して布の裏面と下糸とを固着し、さらに、布の表面の刺繍模様における上糸相互を切断し、上糸を起毛させるようにしていた。
従って、布表面に立体的で美しい刺繍模様を形成することができた。（例えば、特許文献１参照）  
【０００３】
【特許文献１】特開平１１−３１５４６６号公報
【発明の開示】
【発明が解決しようとする課題】
【０００４】
しかし、この従来の刺繍模様の形成方法及び刺繍模様では、上糸を起毛させる為に布の表面の刺繍模様における上糸相互を切断するので、その前に、上糸の抜け止め対策として、事前に布裏面と下糸と接着する為に熱接着加工を施す手段が講じられている。
よって、布における刺繍領域の裏面には、布の裏面と下糸との接着加工に用いられたナイロンやポリウレタン系のホットメルトフィルム等の熱接着性の接着材が残存する。
従って、刺繍された布を肌に直接触れるような衣類に使用する場合、刺繍領域の裏面に残存している固くなったナイロン等の熱接着性の接着材が直接肌に当り、肌触りが悪い。
さらに、上記刺繍領域の裏面に残存している接着材は、肌の弱い人や化学物質に対して過敏な人の肌を刺激して不快にさせるので、刺繍された品の商品価値を低下させる問題点があった。
【０００５】
本件出願の目的は、刺繍模様における上糸が抜けることのない立体的で美しい刺繍模様の形成方法及び刺繍模様を提供しようとするものである。
他の目的は、刺繍模様を施した布を肌に直接触れるような衣類に用いる場合、刺繍領域の裏面における布の肌触りを阻害することなく、布の表面に対して立体的で美しい刺繍模様を刺繍することができる刺繍模様の形成方法及び刺繍模様を提供しようとするものである。
さらに、刺繍領域の裏面における布が、肌の弱い人や化学物質に対して過敏な人の肌を過剰に刺激することがない、商品価値の高い立体的で美しい刺繍模様を刺繍することができる刺繍模様の形成方法及び刺繍模様を提供しようとするものである。
他の目的は、刺繍模様の上糸がしっかり立ち、しかも図柄のくっきりとした商品価値が高い立体的な刺繍模様の縫製方法及び刺繍模様を提供しようとするものである。
他の目的及び利点は図面及びそれに関連した以下の説明により容易に明らかになるであろう。
【課題を解決するための手段】
【０００６】
本願発明における刺繍模様の形成方法及び刺繍模様は、布における刺繍領域の上面に、縫糸を止着する為の縫糸止着材を刺繍領域を覆う広さに渡って配設し、さらに、上記刺繍領域より大きい広さを持つ嵩張材を上記縫糸止着材の上面に重ね、上記布と上記嵩張材とを重ねた状態で上記刺繍領域に刺繍模様を施し、上記刺繍模様における上糸の上部を切除し、上記嵩張材を除去するものである。
【０００７】
また好ましくは、布における刺繍領域の上面に、縫糸を止着する為の縫糸止着材を刺繍領域を覆う広さに渡って配設し、さらに、上記刺繍領域より大きい広さを持つ嵩張材を上記縫糸止着材の上面に重ね、上記布と上記嵩張材とを重ねた状態で上記刺繍領域に刺繍模様を施し、上記刺繍模様における上糸の上部を切除する工程と、上記縫糸止着材により上記布の上面と縫糸とを接着する工程とを施し、さらに、上記嵩張材を除去するものであればよい。
【０００８】
また好ましくは、布における刺繍領域の上面に、縫糸を止着する為の縫糸止着材を網目状に刺繍領域を覆う広さにわたって、配設し、さらに、上記刺繍領域より大きい広さを持つ嵩張材を上記縫糸止着材の上面に重ね、上記布と上記嵩張材とを重ねた状態で上記刺繍領域に刺繍模様を施し、上記刺繍模様における上糸の上部を切除する工程と、上記縫糸止着材により上記布の上面と縫糸とを接着する工程とを施し、さらに、上記嵩張材を除去するものであればよい。
【０００９】
また好ましくは、布の上面には、縫糸を止着した状態の縫糸止着材が存在しており、さらに、布の上面には嵩張材が重ねられた状態で施された刺繍模様であって、かつ、上記刺繍模様における上糸の上部は切除され、上記嵩張材は除去され、起毛した状態の上糸群で構成された刺繍模様が存在しているものであればよい。
【発明の効果】
【００１０】
以上のように本願発明は、布１に刺繍をする場合、布１における刺繍領域２の上面に、縫糸止着材を配設してから、刺繍領域２に刺繍模様20を施すものであるから、布１の上面と縫糸（上糸又は下糸）とが、縫糸止着材によって複数個所で止着され、その止着された縫糸が下糸5bを拘束して下糸5bを弛ませないようにするので、その下糸5bに拘束されている全ての上糸5aは抜けないことになる。
従って、下糸5bが刺繍領域２における布裏面に接着されていないものであっても、刺繍模様における上糸は抜けることはなく、立体的で美しい刺繍模様20を維持できる効果がある。
【００１１】
さらに本願発明は、刺繍模様20を施した布１を肌に直接触れるような衣類に用いる場合、刺繍模様20における上糸の抜け止め対策として、布１における刺繍領域２の上面と縫糸５とを、縫糸止着材によって接着するようにしたので、刺繍領域２における布の裏面1bには、下糸5bのみが存在して接着材が存在しない。
よって、布１の表面には立体的で美しい刺繍模様20が形成され、かつ、刺繍領域２の裏面における布の肌触りが良い使用上の効果がある。
さらにこのことは、肌の弱い人や化学物質に対して過敏な人の肌を過剰に刺激することがなく、安心して身につけることができる、より商品価値の高い立体的で美しい刺繍模様20の刺繍ができる品質上の効果がある。
【００１２】
さらに本願発明は、布に対して刺繍模様を施す際、上糸の抜け止め対策として、布１における刺繍領域２の上面と縫糸５とを、縫糸止着材によって接着するようにしたので、縫糸止着材が、刺繍領域２の上面における起毛した上糸5aの直立を補助する役割を果す。
従って、刺繍模様の上糸がしっかり立ち、しかも図柄のくっきりとした商品価値が高い立体的な刺繍模様を刺繍することができる効果がある。
【発明を実施するための最良の形態】
【００１３】
以下本願発明の実施の形態を示す図１乃至図７の図面について説明する。
図１乃至図５は、刺繍模様の形成方法及び刺繍模様の１の実施例を示し、図６は、図１乃至図５の刺繍模様の形成方法及び刺繍模様とは、縫糸止着材10の点において異なる例を示し、図７は、図１乃至図６の刺繍模様の形成方法及び刺繍模様とは、嵩張材15の点において異なる例を示す。
【００１４】
図１乃至図５において、１は通常、刺繍に用いられる周知の布を示し、例えば、刺繍を施す対象となる布、シート、皮革等と称される布状のものを用いるとよい。
２は上記布１の上面1aに施すべき刺繍模様20を形成させる為の刺繍領域を示し、形成される刺繍模様20の領域と重合する。
なお、図１に示される符号３、４は、広く知られている刺繍ミシンにおける縫針、ミシン釜の存在を夫々示し、５は通常刺繍に用いられる周知の縫糸を示す。上記縫糸５は周知のように上糸5aまたは下糸5b とも称される。
【００１５】
10は、上記刺繍領域２の上面2aを覆う広さに渡って配設される縫糸止着材（接着材ともいう）を示し、薄いフィルムまたはシート状の粘性を有する膜体を例示する。
上記縫糸止着材10は、上記布１における刺繍領域２の上面2aと縫糸５とを止着して、上糸5aが布１における刺繍領域２から抜けるのを防止するものであればよい。
従って、上記縫糸止着材10としては、周知の例えば粘着性を短期間備える硬化性の接着剤、弾力性で縫糸の捕捉性を備えるシート等であってもよい。
なお、縫糸止着材10の形状は、上糸又は下糸の夫々多数本の内、何れか一方の大部分の本数を布に連結すればよいので、刺繍領域２に刺繍される刺繍模様の輪郭形状に略対応する形状にしてあるものでもよい。
【００１６】
15は、上記布１における刺繍領域２上面2aの上方へ向けて上糸の立上げ寸法を大きくする為に、布の上部に嵩を持たせて刺繍できるようにする為、上記縫糸止着材10の上面10aに除去可能に重ねた嵩張材を示し、上記刺繍領域２より大きい広さを持ち、かつ、刺繍模様20における房毛5eの高さＨ１に対応させる高さＨ２を持つようにさせてある。
上記嵩張材としては、刺繍領域２上面2aの上方へ所定の高さＨ２を嵩張らせて刺繍を施すことができるものであればよく、例えば布、不織布、紙、プラスチックフィルム等針３が貫通するものを使用してもよい。
【００１７】
18は、上記薄いフィルムまたはシート状の粘性を有する膜体10と嵩張材15との離反を容易にする為に、上記膜体10と上記嵩張材15との間に配置する薄いシート状の離型材を示し、シート状の離型材として広く知られている任意のシート材、例えばフッ素樹脂材が付加されて構成されるシートを用いてもよい。
なお、離型材は上記のように嵩張材15と別体材で構成しても、上記嵩張材15における上記膜体10に接する下面15bに対して一体的に構成させたものであってもよい。
【００１８】
20は、上記刺繍領域２の上面2aに形成された立体的な刺繍模様を示し、高さＨ１を有する複数の房毛5eから構成させてある。
【００１９】
上記構成のものにおいて、刺繍模様を形成する作業について説明する。
まず、周知のように刺繍枠に仮セットされた布１を刺繍ミシンのベッドに仮置きする。
次に、図１に示されるように、上記布１における刺繍領域２の上面2aに対して、上記膜体10を刺繍領域２を覆う広さに渡って配設する。
さらに、上記離型材18を上記膜体10の上面に重ね、さらに、上記刺繍領域２より大きい広さを持つ上記嵩張材15を上記縫糸止着材10の上面に重ねる。
【００２０】
次に、上記布１と上記嵩張材15とを重ねた状態で、上記刺繍枠にセットし、刺繍領域２が縫針３の針落ち位置に対応する位置において、通常の縫製手段により上記刺繍領域２に対し、所定の刺繍模様20aを施す。
すると、図２に示されるように、嵩張材15の上面15aに刺繍模様20aが刺繍される。
この状態において、刺繍領域２の上面2aに配設された上記粘性を有する膜体10が、縫糸５における上糸の接着部5dと刺繍領域２の布上面2aとを止着する。
【００２１】
次に、上記刺繍模様20aにおける上糸5aの上部5cを任意の手段で切除する。
切断手段としては、上糸5aの上部5c相互が離れる状態にするものであればよく、例えば、カミソリ等の刃物を用いて、図３における左方に示されるように上糸5aの上部5cを取除くように切除する手段や、カミソリ等の刃物のように鋭い刃を持つ刃物を用いて図３における右方に示されるように上糸5aの上部5cを切り離して切除する手段等任意の手段で切除すればよい。
【００２２】
次に、上記嵩張材15を任意の手段により持上げ、或いは分解して布１の上面1aから除去する。また必要に応じ離型材18も捲る取る等任意の手段により除去する。
すると、図４、図５に示されるように、高さＨ１を備える上糸5aを基材とする複数の房毛5eからなる立体的な刺繍模様20が形成される。
上記刺繍模様20は、上述したように、刺繍領域２の上面2aと上糸5aとが、粘性を有する膜体10によって止着されている。
その止着された上糸5aは下糸5bを拘束して下糸5bを弛ませないようにするので、
その下糸5bに拘束されている全ての上糸で成る房毛5eは抜けないことになる。
なお、縫糸５における上糸5a及び下糸5bの相互の糸調子により、縫糸５における下糸5bが布１における上面2aにまで引き上げられ、布１における上面2aにおいて下糸5bが、縫糸止着材または接着材等の止着材により、上記上面2aに接着される場合には、上糸5aは、下糸5bに拘束され、布１における上面2aに接着されていなくても、抜けることはない。
また、刺繍模様を施した布が、肌に直接触れるような衣類に用いるものでない場合や、布裏面に接着材が残存していても差支えない場合は、諸々の手段を用いて裏面2bに接着材を残存させ、下糸5bを布に接着させれば、より好ましい場合がある。
【００２３】
次に、図１〜図５に示される縫糸止着材10の異なる例として接着材を用いた例を説明する。
上記接着材は、薄いフィルム状又はシート状で、図示されている縫糸止着材10と同様の外観形状を有している。
上記接着材は、常態では接着性を有していないが、任意の接着加工を施した後は接着性が生じ、上記布１における刺繍領域２の上面2aと縫糸５とを止着して、上糸5aが布１における刺繍領域２から抜けるのを防止するものである。
上記接着材としては、周知の例えば、加熱により溶けて接着性が生じる性質を有する熱融着シート、溶剤によって接着性が生じるシート等であってもよい。
【００２４】
刺繍模様を形成する作業において、刺繍模様20aにおける上糸の上部5cを切除する工程の後に、上記熱融着シートを用いた場合は、刺繍領域２における布の裏面1bを加熱して熱融着シートを溶融し、縫糸５と布１における刺繍領域２の上面2aとを止着させる。また同様に、上記溶剤によって接着性が生じるシートを用いる場合は、溶剤を用いて縫糸５と布１における刺繍領域２の上面2aとを止着させる。
なお、上記刺繍模様20aにおける上糸の上部5cを切除する工程と、上記接着材により上記布の上面と縫糸とを接着する工程との順序は、どちらの工程が先に施されてもよく、同時並行的に施してもよい。
【００２５】
次に、図１〜図５に示される縫糸止着材10の異なる例として図６に表れている接着材10cを用いた例を説明する。
上記接着材10cは、図６に示されるように、細い繊維状の縦条10eと横条10fとで多孔状となるように網目状（パンチングメタル模様の多孔板のような模様であってもよい）に構成されている。
外形は、図１に示されている縫糸止着材10と同様の形状を有し、厚みは縫糸止着材10と同様に薄いシート状（フィルム状）のものと同じように形成されている。
上記網目状の接着材10cの性質は、常態では接着性を有していないが、任意の接着加工を施した後は接着性が生じ、多数の縫糸５の内、縦条10e及び横条10fに接している縫糸５について、夫々上記布１における刺繍領域２の上面2aに止着する。
従って、縦条10eと横条10fで構成する網目の密度の高低により、縫糸５の接着度合が異なる。縫糸５が抜けやすい性質であれば網目を密にし、逆の場合は粗にするとよい。
なお、網目にすることにより布１の上面に残る接着材10cの量が少なくなり布１が柔らかくなる。
上記網目状の接着材10cとしては、周知の接着性を備えるものであればよく、例えば、加熱により溶けて接着性が生じる性質を有する熱融着材、溶剤によって接着性が生じる材等であってもよい。
次に上記網目状の接着材10cを形成する手段としては、前述した刺繍ミシンを用い、上糸に加熱により溶けて接着性が生じる性質や、溶剤によって接着性が生じる性質を備える糸を用いて、布１の上面1aに対して直接網目状に縫付けることにより、布上に図６のように上記上糸（接着性を備えるもの）を配置してもよい。
なお、刺繍ミシンを用いて網目状の接着材10cを形成する際、刺繍模様20aを縫製する為の、針落ち位置や運針等のプログラムデータを利用すると、所定の刺繍領域２に対して、刺繍模様20aに対応する形状の網目状の接着材10cを形成することが容易にできる。
【００２６】
次に、図１〜図５に示される嵩張材15とは、構成する枚数の点において異なる例を示す図７について説明する。
上記嵩張材15は、任意の複数枚の嵩張材15を重合させて、刺繍模様20における房毛5eの高さＨ１に対応させる高さＨ２を持つようにさせてあればよく、
例えば、図７における左方に示されるように厚薄、厚さの異なる２枚の嵩張材15c、15dを重合させて構成させても、図７における右方に示されるように任意の厚みで、除去しやすい薄手の６枚の嵩張材を重合させて構成させてもよい。
【００２７】
刺繍模様を形成する作業において、刺繍模様20aにおける上糸の上部5cを切除する手段として、例えば、図７（Ｂ）に示されるように、重合させた複数の嵩張材15の内、最上部の嵩張材15dとその下の嵩張材15cとの間にカミソリ等の刃のように鋭利な刃物を用いて、嵩張材15dを持ち上げながら上糸5aの上部5cを切除する機械的または人工的手段を用いてもよい。
嵩張材15を例えば上記した薄手の６枚の嵩張材を重合させて構成させた場合には、嵩張材15は、薄くて柔軟性があるので、上糸5aの上部5cを切除する際、嵩張材15d持ち上げ易く作業がし易い。さらに嵩張材15は、薄くて柔軟性があるので、除去する作業もしやすい。
【００２８】
本願発明にあっては、刺繍模様20における上糸の抜け止め対策として、布１における刺繍領域２の上面と縫糸５とを、縫糸止着材によって止着するようにしたので、刺繍領域２における布の裏面1bには、縫糸止着材は表出することなく、下糸5bのみが存在することになる。
なお、離型材18を用いて刺繍模様20を形成する作業を説明したが、嵩張材15が容易に除去できれば離型材18は、必要に応じ選択的に使用しなくてもよい。
【図面の簡単な説明】
【００２９】
【図１】布と刺繍領域と縫糸止着材と離型材と嵩張材との位置関係を説明する為の概略斜視図で、布と離型材と嵩張材を一部破断して示す。
【図２】布と縫糸止着材と離型材と嵩張材と縫糸との関係を説明する為の部分破断した断面図（刺繍領域に対して刺繍模様20aを施したもの）で、図１におけるＩＩ−ＩＩ線位置断面図。
【図３】布と縫糸止着材と離型材と嵩張材と縫糸との関係を説明する為の部分破断した断面図（上糸5aの上部5cの一部を切除するもの）で、図１におけるＩＩ−ＩＩ線位置断面図。
【図４】刺繍模様における布と縫糸止着材と縫糸との関係を説明する為の部分破断した断面図で、図５におけるＩＶ−ＩＶ線位置断面図。
【図５】刺繍模様を説明する為の概略斜視図。
【図６】縫糸止着材の異なる例を説明する為の図。
【図７】嵩張材の異なる例を説明する為の部分破断した断面図で、図における左方と右方とでは嵩張材の構成枚数が異なる例を示す。（Ａ）は、刺繍領域に対して刺繍模様20aを施したもの（Ｂ）は、上糸5aの上部5c一部を切除するもの。
【符号の説明】
【００３０】
１・・・布、２・・・刺繍領域、５・・・縫糸、５ａ・・・上糸、５ｂ・・・下糸、５ｅ・・・房毛、１０・・・縫糸止着材、接着材、１５・・・嵩張材、１８・・・離型材、２０・・・刺繍模様
【図１】
2006077370.tif 000003
【図２】
2006077370.tif 000004
【図３】
2006077370.tif 000005
【図４】
2006077370.tif 000006
【図６】
2006077370.tif 000007
【図７】
2006077370.tif 000008
【図５】
2006077370.tif 000009